【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
式：
【化１】
2008517129.tif 000001
（式中、
Ｒ１は、少なくとも１個のヒドロキシ基、１個のカルボキシ基及び／又は１個のカルボキシ−Ｃ１−４−アルキル（ＨＯＯＣ−Ｃ１−４−アルキル）基で置換されているアリールを表し、或いはＲ１は、少なくとも１個のカルボキシ基で置換されているＣ１−６−アルキル、アラルキル又はＣ５−６−シクロアルキルを表し、ここでアリールは、更にＣ１−４−アルキル及び／又はＣ１−４−アルコキシで置換されていてもよく、Ｃ１−６−アルキル、アラルキル及びＣ５−６−シクロアルキルは、更にヒドロキシ及び／又はＣ１−４−アルコキシで置換されていてもよく、
Ｒ２は、水素、Ｃ１−４−アルキル、Ｃ５−６−シクロアルキル、アリール、アラルキル又はＲ１を表し、ここでＣ１−４−アルキルは、ヒドロキシ、Ｃ１−４−アルコキシ、カルバモイル及び／又はシアノで置換されていてもよく、Ｃ５−６−シクロアルキル、アリール又はアラルキルは、Ｃ１−４−アルキル、ヒドロキシ及び／又はＣ１−４−アルコキシで置換されていてもよく、或いは
Ｒ１及びＲ２は、それらが結合する窒素と一緒になって、ピペリジノ−、ピロリジニル−又はモルホリノ環を完成し、それは少なくとも１個のカルボキシ基で置換され、
Ｚ１は、Ｃ２−６−アルキレン又はＣ５−６−シクロアルキレンを表し、ここでＣ２−６−アルキレンは、ヒドロキシ及び／又はＣ１−４−アルコキシで置換されていてもよく、１個又は２個の酸素原子により中断されていてもよく、ここで２個の酸素は互いに結合せず、
Ｒ３、Ｒ４及びＲ５は、それぞれ互いに独立して、水素、Ｃ１−４−アルキル、Ｃ５−６−シクロアルキル又は−Ｚ２−ＮＲ６Ｒ７を表し、或いはＲ４及びＲ５は、それらが結合する窒素と一緒になってモルホリノ−、ピペリジノ−又はピロリジニル環を完成し、ここでＣ１−４−アルキルは、ヒドロキシ、Ｃ１−４−アルコキシ、カルバモイル及び／又はシアノで置換されていてもよく；Ｚ２は、Ｃ２−６−アルキレン又はＣ５−６−シクロアルキレンを表し、ここでＣ２−６−アルキレンは、ヒドロキシ及び／又はＣ１−４−アルコキシで置換されていてもよく、或いは１個又は２個の酸素原子により中断されていてもよく；Ｒ６及びＲ７は、それぞれ互いに独立して、水素、Ｃ１−４−アルキル又はＣ５−６−シクロアルキルを表し、或いは
Ｚ１、Ｒ３及びＲ４は、それらが結合する窒素と一緒になって、ピペラジニル環を完成するが、
但し、Ｒ１が４−カルボキシフェニルを表し、Ｒ２が水素を表す場合、Ｚ１はエチレンではなく、Ｒ４及びＲ５はメチルではなく、Ｒ３は水素ではなく、或いはＺ１はトリメチレンではなく、Ｒ４及びＲ５は、それらが結合する窒素と一緒になって、モルホリノ環を完成せず、Ｒ３は水素ではない）
の４，４’−ビス（トリアジニルアミノ）スチルベン−２，２’−ジスルホン酸誘導体又はその塩。
【請求項２】
Ｒ１は、少なくとも１個のヒドロキシ基、１個のカルボキシ基及び／又は１個のカルボキシ−Ｃ１−４−アルキル（ＨＯＯＣ−Ｃ１−４−アルキル）基で置換されているフェニルを表し、或いはＲ１は、少なくとも１個のカルボキシ基で置換されているＣ１−６−アルキルを表し、ここでフェニルは、Ｃ１−４−アルキル及び／又はＣ１−４−アルコキシで更に置換されていてもよく、Ｃ１−６−アルキルは、ヒドロキシ及び／又はＣ１−４−アルコキシで更に置換されていてもよく、
Ｒ２は、水素、Ｃ１−４−アルキル、又はＲ１を表し、ここでＣ１−４−アルキルはヒドロキシ、Ｃ１−４−アルコキシ、カルバモイル及び／又はシアノで置換されていてもよく、
Ｚ１は、ヒドロキシ及び／又はＣ１−４−アルコキシで置換されていてもよく、或いは１個又は２個の酸素原子により中断されていてもよいＣ２−６−アルキレンを表し、
Ｒ３は、水素又はＣ１−４−アルキルを表し、ここでＣ１−４−アルキルはヒドロキシ、Ｃ１−４−アルコキシ、カルバモイル及び／又はシアノで置換されていてもよく、
Ｒ４及びＲ５は、それぞれ互いに独立して、水素、Ｃ１−４−アルキル又は−Ｚ２−ＮＲ６Ｒ７を表し、或いはそれらが結合する窒素と一緒になって、モルホリノ−、ピペリジノ−又はピロリジニル環を完成し、ここでＣ１−４−アルキルはヒドロキシ及び／又はＣ１−４−アルコキシで置換されていてもよく；Ｚ２は、ヒドロキシ及び／又はＣ１−４−アルコキシで置換されていてもよく、１個又は２個の酸素原子により中断されていてもよいＣ２−６−アルキレンを表し、ここで２個の酸素は互いに結合しておらず；Ｒ６及びＲ７は、それぞれ互いに独立して、水素又はＣ１−４−アルキルを表し、
或いは、Ｚ１、Ｒ３及びＲ４は、それらが結合する窒素と一緒になって、ピペラジニル環を完成する
請求項１に記載の４，４’−ビス（トリアジニルアミノ）スチルベン−２，２’−ジスルホン酸誘導体又はその塩。
【請求項３】
Ｒ１は、少なくとも１個のヒドロキシ基及び／又は１個のカルボキシ基で置換されているフェニルを表し、或いはＲ１は、少なくとも１個のカルボキシ基で置換されているＣ１−６−アルキルを表し、ここでフェニルは、Ｃ１−４−アルキル、Ｃ１−４−アルコキシ及び／又はＣ１−４−アルキルスルホニルで更に置換されていてもよく、Ｃ１−６−アルキルは、ヒドロキシ及び／又はＣ１−４−アルコキシで更に置換されていてもよく、
Ｒ２は、水素、Ｃ１−４−アルキル又はＲ１を表し；Ｚ１は、Ｃ２−４−アルキレンを表し、ここでＣ２−４−アルキレンは、ヒドロキシ及び／又はＣ１−４−アルコキシで置換されていてもよく、
Ｒ３は、水素又はＣ１−４−アルキルを表し、ここでＣ１−４−アルキルは、ヒドロキシ及び／又はＣ１−４−アルコキシで置換されていてもよく、
Ｒ４及びＲ５は、それぞれ互いに独立して、水素、Ｃ１−４−アルキル又は−Ｚ２−ＮＲ６Ｒ７を表し、ここでＣ１−４−アルキルは、ヒドロキシ及び／又はＣ１−４−アルコキシで置換されていてもよく；或いはＲ４及びＲ５は、それらが結合する窒素と一緒になって、モルホリノ環を完成し；Ｚ２は、ヒドロキシ及び／又はＣ１−４−アルコキシで置換されていてもよいＣ２−４−アルキレンを表し；Ｒ６及びＲ７は、それぞれ互いに独立して、水素又はＣ１−４−アルキルを表し、
或いは、Ｚ１、Ｒ３及びＲ４は、それらが結合する窒素と一緒になって、ピペラジニル環を完成する
請求項２に記載の４，４’−ビス（トリアジニルアミノ）スチルベン−２，２’−ジスルホン酸誘導体、又はその塩。
【請求項４】
Ｒ１は、１個のヒドロキシ又はカルボキシ基で置換されているフェニル又はＣ１−６−アルキルを表し、
Ｒ２は、水素、メチル又はＲ１を表し；Ｚ１は、Ｃ２−３−アルキレンを表し、Ｒ３は、水素を表し、
Ｒ４及びＲ５は、それぞれ互いに独立して、水素又はＣ１−４−アルキルを表し、ここでＣ１−４−アルキルは、ヒドロキシで置換されていてもよく；或いはＲ４及びＲ５は、それらが結合する窒素と一緒になって、モルホリノ環を完成し、
或いは、Ｚ１、Ｒ３及びＲ４は、それらが結合する窒素と一緒になってピペラジニル環を完成する
請求項３に記載の４，４’−ビス（トリアジニルアミノ）スチルベン−２，２’−ジスルホン酸誘導体、又はその塩。
【請求項５】
式：
【化２】
2008517129.tif 000002
（式中、Ｒ１、Ｒ２、Ｚ１、Ｒ３、Ｒ４及びＲ５は請求項１に定義されたとおりであり、
Ｒ１１は、アリール、Ｃ１−６−アルキル、アラルキル又はＣ５−６−シクロアルキルを表し、ここでアリールは、ヒドロキシ基、カルボキシ基、カルボキシ−Ｃ１−４−アルキル（ＨＯＯＣ−Ｃ１−４−アルキル）基、Ｃ１−４−アルキル及び／又はＣ１−４−アルコキシで置換されていてもよく、Ｃ１−６−アルキル、アラルキル及びＣ５−６−シクロアルキルは、ヒドロキシ、カルボキシ基、Ｃ１−４−アルコキシ、カルバモイル及び／又はシアノで置換されていてもよく、
Ｒ１２は、水素、Ｃ１−４−アルキル、Ｃ５−６−シクロアルキル、アリール、アラルキル又はＲ１１を表し、ここでＣ１−４−アルキルは、ヒドロキシ、Ｃ１−４−アルコキシ、カルバモイル及び／又はシアノで置換されていてもよく、Ｃ５−６−シクロアルキル、アリール又はアラルキルはＣ１−４−アルキル、ヒドロキシ及び／又はＣ１−４−アルコキシで置換されていてもよい）
の４，４’−ビス（トリアジニルアミノ）スチルベン−２，２’−ジスルホン酸誘導体又はその塩を含む組成物。
【請求項６】
Ｒ１、Ｒ２、Ｚ１、Ｒ３、Ｒ４及びＲ５は請求項２に定義されたとおりであり；
Ｒ１１は、フェニル又はＣ１−６−アルキルを表し、ここでフェニルは、ヒドロキシ基、カルボキシ基、カルボキシ−Ｃ１−４−アルキル（ＨＯＯＣ−Ｃ１−４−アルキル）基、Ｃ１−４−アルキル及び／又はＣ１−４−アルコキシで置換されていてもよく、Ｃ１−６−アルキルは、ヒドロキシ、カルボキシ基、Ｃ１−４−アルコキシ、カルバモイル及び／又はシアノで置換されていてもよく；
Ｒ１２は、水素、Ｃ１−４−アルキル又はＲ１１を表し、ここでＣ１−４−アルキルは、ヒドロキシ、Ｃ１−４−アルコキシ、カルバモイル及び／又はシアノで置換されていてもよい
請求項５に記載の組成物。
【請求項７】
Ｒ１、Ｒ２、Ｚ１、Ｒ３、Ｒ４及びＲ５は請求項３に定義されたとおりであり；
Ｒ１１は、フェニルを表し、ここでフェニルは、ヒドロキシ基、カルボキシ基、カルボキシ−Ｃ１−４−アルキル（ＨＯＯＣ−Ｃ１−４−アルキル）基、Ｃ１−４−アルキル及び／又はＣ１−４−アルコキシで置換されていてもよく；
Ｒ１２は、水素又はＣ１−４−アルキルを表す
請求項６に記載の組成物。
【請求項８】
Ｒ１、Ｒ２、Ｚ１、Ｒ３、Ｒ４及びＲ５は請求項３に定義されたとおりであり；
Ｒ１１は、非置換であるか又は１個のカルボキシ基で置換されているフェニルを表し；
Ｒ１２は、水素を表す
請求項７に記載の組成物。
【請求項９】
式：
【化３】
2008517129.tif 000003
（式中、Ｒ１、Ｒ２、Ｚ１、Ｒ３、Ｒ４及びＲ５は請求項１に定義されたとおりであり、Ｒ１１及びＲ１２は請求項５に定義されたとおりである）
の４，４’−ビス（トリアジニルアミノ）スチルベン−２，２’−ジスルホン酸誘導体又はその塩。
【請求項１０】
ｉ）式：
【化４】
2008517129.tif 000004
（式中、Ｘは、臭素、塩素、フッ素又はヨウ素を表す）
の４，４’−ビス[（４，６−ジハロトリアジニル）アミノ]スチルベン−２，２’−ジスルホン酸誘導体又はその塩を、式ＨＮＲ１Ｒ２（８）（式中、Ｒ１及びＲ２は請求項１に示された意味を有する）のアミンと反応させて、式：
【化５】
2008517129.tif 000005
（式中、Ｒ１及びＲ２は請求項１に示された意味を有する）
の４，４’−ビス（トリアジニルアミノ）スチルベン−２，２’−ジスルホン酸誘導体又はその塩を得る工程と、
ｉｉ）工程ｉ）で得た式（４）の４，４’−ビス（トリアジニルアミノ）スチルベン−２，２’−ジスルホン酸誘導体又はその塩を、式ＨＮＲ３（Ｚ１−ＮＲ４Ｒ５）（９）（式中、Ｒ３、Ｚ１、Ｒ４及びＲ５は上記に示された意味を有する）のアミンと反応させて、式（１）の４，４’−ビス（トリアジニルアミノ）スチルベン−２，２’−ジスルホン酸誘導体を得る工程と
を含む、請求項１に記載の式（１）の４，４’−ビス（トリアジニルアミノ）スチルベン−２，２’−ジスルホン酸誘導体の調製方法。
【請求項１１】
ｉ）式：
【化６】
2008517129.tif 000006
（式中、Ｘは、臭素、塩素、フッ素又はヨウ素を表す）
の４，４’−ビス[（４，６−ジハロトリアジニルアミノ）]スチルベン−２，２’−ジスルホン酸誘導体又はその塩を、式ＨＮＲ１Ｒ２（８）及びＨＮＲ１１Ｒ１２（１０）（式中、Ｒ１及びＲ２は請求項１に示された意味を有し、Ｒ１１及びＲ１２は請求項５に示された意味を有する）のアミンの混合物と反応させて、式：
【化７】
2008517129.tif 000007
（式中、Ｘは、臭素、塩素、フッ素又はヨウ素を表す）
の４，４’−ビス（トリアジニルアミノ）スチルベン−２，２’−ジスルホン酸誘導体又はその塩を含む組成物を得る工程と、
ｉｉ）工程ｉ）で得た式（４）、（５）及び（６）の４，４’−ビス（トリアジニルアミノ）スチルベン−２，２’−ジスルホン酸誘導体を含む組成物を、式ＨＮＲ３（Ｚ１−ＮＲ４Ｒ５）（９）（式中、Ｒ３、Ｚ１、Ｒ４及びＲ５は上記に定義されたとおりである）のアミンと反応させて、式（１）、（２）及び（３）の４，４’−ビス（トリアジニルアミノ）スチルベン−２，２’−ジスルホン酸誘導体の組成物を得る工程と
を含む、請求項５に記載の式（１）、（２）及び（３）の４，４’−ビス（トリアジニルアミノ）スチルベン−２，２’−ジスルホン酸誘導体又はその塩を含む組成物の調整方法。
【請求項１２】
式：
【化８】
2008517129.tif 000008
の中間体、４，４’−ビス（トリアジニルアミノ）スチルベン−２，２’−ジスルホン酸誘導体又はその塩。
【請求項１３】
式：
【化９】
2008517129.tif 000009
（式中、Ｒ１及びＲ２は請求項１に示された意味を有し、Ｒ１１及びＲ１２は請求項５に示された意味を有し、Ｘは臭素、塩素、フッ素又はヨウ素を表す）
の中間体、４，４’−ビス（トリアジニルアミノ）スチルベン−２，２’−ジスルホン酸誘導体又はその塩の組成物。
【請求項１４】
式：
【化１０】
2008517129.tif 000010
（式中、Ｒ１及びＲ２は請求項１に示された意味を有し、Ｒ１１及びＲ１２は請求項５に示された意味を有し、Ｘは臭素、塩素、フッ素又はヨウ素を表す）
の中間体、４，４’−ビス（トリアジニルアミノ）スチルベン−２，２’−ジスルホン酸誘導体又はその塩。
【請求項１５】
請求項１又は９に記載の式（１）又は（２）の４，４’−ビス（トリアジニルアミノ）スチルベン−２，２’−ジスルホン酸誘導体又はその塩、或いは請求項５に記載の式（１）、（２）及び（３）の４，４’−ビス（トリアジニルアミノ）スチルベン−２，２’−ジスルホン酸誘導体又はその塩を含む組成物の、紙用蛍光増白剤としての使用。
【請求項１６】
請求項１又は９に記載の式（１）又は（２）の４，４’−ビス（トリアジニルアミノ）スチルベン−２，２’−ジスルホン酸誘導体又はその塩、或いは請求項５に記載の式（１）、（２）及び（３）の４，４’−ビス（トリアジニルアミノ）スチルベン−２，２’−ジスルホン酸誘導体又はその塩の組成物で処理した紙。
【請求項１７】
請求項１又は９に記載の式（１）又は（２）の４，４’−ビス（トリアジニルアミノ）スチルベン−２，２’−ジスルホン酸誘導体又はその塩、或いは請求項５に記載の式（１）、（２）及び（３）の４，４’−ビス（トリアジニルアミノ）スチルベン−２，２’−ジスルホン酸誘導体又はその塩の組成物を含む水性配合物。